(57)【要約】  【課題】材料歩留りを低下させることなく、上部ケースのフランジ部の反り変形を抑制し、締結作業を容易にする。  【解決手段】ポンプ１０は、モータにて回転駆動される羽根車１５０を内蔵し、上部ケース２５と下部ケース１５を合着して密閉型に形成する。該上部ケース２５は、下面開放の円筒体２５３と、該円筒体２５３の下端部から外方へ突設したフランジ部２５４とから構成する。又、前記上部ケース２５の円筒体２５３の上端部から前記フランジ部２５４の外周部に及んで、略直角三角形状のリブ２５９を複数設ける。【選択図】図１
2008008275.tif 000002
【特許請求の範囲】
【請求項１】
モータにて回転駆動される羽根車を内蔵したポンプであって、該ポンプは上部ケースと下部ケースを合着して密閉型に形成され、該上部ケースが、下面開放の円筒体と該円筒体の下端部から外方に突設したフランジ部とから構成されたポンプ用ケースにおいて、
前記上部ケースの円筒体の上端部から前記フランジ部の外周部に及んで略三角形状のリブを複数設けたことを特徴とするポンプ用ケース。
【発明の詳細な説明】
【技術分野】
【０００１】
本発明はポンプ用ケース、特に、電子機器における冷却システム等の流体を圧送する手段等として好適に使用されるポンプ用ケースに関するものである。
【背景技術】
【０００２】
従来、電子機器、例えば、パーソナルコンピュータにおけるＣＰＵの水冷システムでは、冷却水を圧送するために、小型の遠心式ポンプ、渦巻き式ポンプなどが広く使用されている。該ポンプは、一般に合成樹脂製の上部ケースと下部ケースとを互いに合着連結することにより密閉型に形成されていると共に、該密閉空間内にモータにて回転駆動される羽根車が内蔵されている。
【０００３】
そして、前記上部ケースは、下面開放の円筒体と、該円筒体の下端部から外方に突設したフランジ部とから成り、該上部ケースのフランジ部を下部ケースの外周縁側上面に突き合わせて、これをビスにて締め付けて互いに一体に連結している（例えば、特許文献１参照）。
【特許文献１】特開２００１−１５３０８３号公報。
【発明の開示】
【発明が解決しようとする課題】
【０００４】
上記特許文献１記載の従来技術に係るポンプ用ケースは、合成樹脂製の上部ケースを射出成形する際（溶融樹脂の冷却硬化の際）に、成形品の肉厚、射出成形機のゲートの個数や位置、温度等の成形条件により、上部ケースのフランジ部が上方側に反り変形を起こしやすい。このような反り変形が発生すると、上部ケースのフランジ部を下部ケースにビス（止着具）で締結する際に、前記反り変形部の反力によりビス又はネジ孔に過大な負荷が掛かり、該ビス（ネジ山）又はネジ孔が破壊され、締結作業が困難になる。
【０００５】
このような反り変形を防止する対策の１つとして、上部ケースの肉厚、射出成型機のゲートの個数や位置、温度等の成形条件を変更することがあるが、この場合は材料歩留りが低下するなどの問題を生じる。
【０００６】
そこで、材料歩留りを低下させずに、上記フランジ部の反り変形を抑制して締結作業を容易にするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、モータにて回転駆動される羽根車を内蔵したポンプであって、該ポンプは上部ケースと下部ケースを合着して密閉型に形成され、該上部ケースが下面開放の円筒体と該円筒体の下端部から外方に突設したフランジ部とから成るポンプ用ケースにおいて、前記上部ケースの円筒体の上端部から前記フランジ部の外周部に及んで略三角形状のリブを複数設けて成るポンプ用ケースを提供する。
【０００８】
この構成によれば、前記上部ケースには、円筒体の上端部からフランジ部の外周部に及んで略直角三角形状のリブが複数形成されているので、このリブによって、フランジ部の反り変形に対する強度が増大し、該フランジ部に反り変形を生ずることが抑制される。
【発明の効果】
【０００９】
請求項１記載の発明は、上部ケースの円筒体とフランジ部の間に設けた略直角三角形状のリブによって、該フランジ部に生じる反り変形が抑制されるので、該フランジ部を下部ケースにビスで締付ける際に、ビス又はネジ孔に過大な負荷が掛かる恐れがなく、該ビス（ネジ山）又はネジ孔が破壊されることを防止することができる。
【００１０】
また、上部ケースの射出成形時に、該成形品の肉厚の変更、射出用ゲートの個数又は位置の変更、成形条件の変更などを行う必要がなく、従来に比べて材料歩留りが著しく向上する。
【発明を実施するための最良の形態】
【００１１】
本発明は、材料歩留りを低下させずに、上部ケースのフランジ部の反り変形を抑制するという目的を、モータにて回転駆動される羽根車を内蔵したポンプであって、該ポンプは上部ケースと下部ケースを合着して密閉型に形成され、該上部ケースが下面開放の円筒体と該円筒体の下端部から外方に突設したフランジ部とから成るポンプ用ケースにおいて、前記上部ケースの円筒体の上端部から前記フランジ部の外周部に及んで略直角三角形状のリブを複数設けることにより実現した。
【実施例】
【００１２】
以下、本発明の好適な一実施例を図１及び図２に従って説明する。本実施例は、遠心式ポンプ用ケースに適用したものであるが、モータにて回転駆動される羽根車を内蔵し、且つ、上部ケースと下部ケースを合着して密閉型に形成した構造のポンプであれば、他の種類のポンプにも適用することができる。
【００１３】
図１及び図２は、本実施例に係る小型の遠心式ポンプの外観構成を示す分解斜視図、図２は図１のＡ−Ａ線断面図である。両図において、遠心式ポンプ１０は中心軸Ｏ方向（図１における上下方向）に延在する固定軸１１を備え、該固定軸１１には軸受１３を介してロータ１５が回転自在に取り付けられている。
【００１４】
前記ロータ１５は、軸受１３に回転自在に取り付けられた内側円筒部１５１と、この内側円筒部１５１の上端部で中心軸Ｏ方向と直交する半径方向（以下、中心軸Ｏ方向と直交する半径方向を単に「半径方向」という）に延在する円環部１５３と、この円環部１５３の下面の外周端に固定された前記固定軸１１と同心の円環状の永久磁石１５５とを有している。この永久磁石１５５は周方向に沿ってＮ極とＳ極が交互に着磁されている。
【００１５】
固定軸１１の下端は、下部ケース２１の支持部を介して、半径方向外側へ延在する略円形平板状の基板１７に固定され、該基板１７の上面１７ａ上に、ＤＣブラシレスモータのステータ１９が固定されている。このステータ１９は、固定軸１１を中心として放射状に延びる複数の固定子コア１９１と、各固定子コア１９１に夫々巻回した固定子コイル１９３とを有し、該ステータ１９とロータ１５の間に下部ケース２１が配置されている。
【００１６】
前記下部ケース２１は、固定軸１１の下端部を固定支持する略円柱状の下支持部２１１と、該下支持部２１１の上端部側から半径方向外側へ延在する第１の円環部２１２と、該円環部２１２の外周端から上方へ延在する第１の円筒部２１３と、該円筒部２１３の上端から半径方向上側へ延在する第２の円環部２１４とを有する。
【００１７】
更に、下部ケース２１は、第２の円環部２１４の外周端から下方へ延長する第２の円筒部２１５と、該円筒部２１５の外周下端から半径方向外側へ延在する第３の円環部２１６と、該円環部２１６の外周端から上方へ延在する第３の円筒部２１７と、該円筒部２１７の上周端の外周から半径方向外側へ延在する第４の円環部２１８とを有する。
【００１８】
また、上述のステータ１９は、下部ケース２１の第１の円筒部２１３と、第２の円環部２１４と、第２の円筒部２１５との間の空間内に配置されている。一方、ロータ１５の永久磁石１５５は、下部ケース２１の第２の円筒部２１５と、第３の円環部２１６と、第３の円筒部２１７との間の空間内に配置されている。更に、下部ケース２１は、第１の円筒部２１３上面の内周縁近傍から上方へ突出する円環状突出部２１９を備え、該円環状突出部２１９は固定軸１１と同心に配置されている。
【００１９】
ロータ１５の円環部１５３の上には、複数枚の羽根１５７が固定され、複数枚の羽根１５７は、固定軸１１を中心として半径方向へ放射状に延在している。又、複数枚の羽根１５７と円環部１５３と内側円筒部１５１とによって、羽根車１５０が構成されている。
【００２０】
ロータ１５は下部ケース２１と上部ケース２５間の空間部に配置されている。この上部ケース２５は、複数枚の羽根１５７を覆うように設けたカップ状の円筒体２５３と、該円筒体２５３の外周下端から半径方向外側へ延在する円環状のフランジ部２５４とを備えている。
【００２１】
前記円筒体２５３には、固定軸１１の上端部を固定支持する円筒状の上支持部２５１と、該円筒部２１５から所定距離から離れて上支持部２５１との間で流路用の空間を形成する円筒部２５２と、水などの液体（冷却液）を吸い込むための吸込管（流入管）２５６と、液体を吐き出すための吐出管（流出管）２５７とが設けられている。
【００２２】
吸込管２５６は、円筒体２５３の上面上にて半径方向に延在し、吸込口２５６ａを介して、上部ケース２５の中央部にて円筒部２５２に連結されている。従って、液体は吸込管２５６内を半径方向の外側から内側へ流れ、吸込口２５６ａにて直角に中心軸Ｏ方向に曲げられた後に、円筒部２５２を通って上記羽根１５７側に導出される。
【００２３】
また、吐出管２５７は、フランジ部２５４の上面上にて中心軸Ｏ方向と直交する水平面内に配置され、吐出口２５７ａを介して、円筒体２５３に外周部で連結されている。従って、複数枚の羽根１５７の回転により圧送された液体は、円筒体２５３の外周部から吐出口２５７ａを介して、吐出管２５７内を流れて半径方向へ吐き出される。
【００２４】
尚、フランジ部２５４は、その下面側に円環状の凹部２５４ａを有し、この凹部２５４ａには、下部ケース２１の円環状突出部２１９とリング状のシールゴム２３とが挿入され、これにより、下部ケース２１と上部ケース２５の間の空間を密閉している。
【００２５】
更に、基板１７の上面１７ａ上におけるロータ１５の下端外周近傍には、ロータ１５の回転位置を検出するための磁気検出素子３１と、該磁気検出素３１から検出信号が送出される駆動素子３２が配置されている。この駆動素子３２は、前記検出信号に応答して、固定子コイル１９３を流れる励磁電流を切替えて、ロータ１５を所定の回転方向に駆動する。
【００２６】
上述の如く、上記遠心式ポンプ１０は、上部ケース２５と下部ケース１５を合着して密閉型に形成され、該上部ケース２５は下面開放の円筒体２５３と該円筒体２５３の下端部から外方に突設した円環状のフランジ部２５４を備えている。
【００２７】
本実施例では、上部ケース２５の円筒体２５３とフランジ部２５４の間には、リブ２５９が複数（例えば７個）設けられ、これらリブ２５９は円筒体２５３の中心に対して放射方向に設けられている。また、複数のリブ２５９は、円筒体２５３の円周方向に沿って所定の間隔を有して配置されている。
【００２８】
さらに、前記リブ２５９は略直角三角形状に形成され、該リブ２５９の斜面部は、円筒体２５３の上端部からフランジ部２５４の外周部に及んでいる。
【００２９】
実際の試験によれば、上部ケース２５には、円筒体２５３の上端部からフランジ部２５４の外周部に及んで、略直角三角形状のリブ２５９を複数設けたので、この略直角三角形状のリブ２５９によって、フランジ部２５４の反りなどの変形に対する強度が増大し、該フランジ部２５４に発生する反り変形が効果的に抑制された。
【００３０】
斯くして、上部ケース２５を下部ケース１５にビス３５で締結連結する時、即ち、フランジ部２５４の貫通孔３４にビス３５を挿通して、該ビス３５を円環部２１８のネジ孔３６に締め付けるとき、従来のように、ビス３５又はネジ孔３６に過大な負荷が掛かる恐れがないため、該ビス（ネジ山）３５又はネジ孔３６を破損させることなく、ビス３５の締付け作業を容易かつ適正に行うことができた。
【００３１】
また、上部ケース２５を樹脂成形する際は、フランジ部２５４の肉厚を厚くしたり、あるいは、成形機のゲートの個数又は位置を増やす必要がなく、従来に比して材料歩留りが著しく向上した。
【００３２】
従来技術では、前記ゲートは３〜５箇所の位置に設ける必要があったが、本実施例では、ゲートの数を１つにしても良好な樹脂成形が可能になった。特に、上部ケース２５自体の反り変形等に対する強度が増大し、フランジ部２５４に反り変形は殆ど見られなかった。
【００３３】
図３および図４は、本発明の他の実施例に係る渦巻きポンプ用ケースの上部ケース２５を示す平面図および正面図である。なお、上記実施例と同様の部材にはそれと同一の符号を付している。
【００３４】
この渦巻きポンプは、モータにて回転駆動される羽根車を内蔵し、上部ケース２５と下部ケースを合着して密閉型に形成されている。また、該上部ケース２５は、下面開放の円筒体２５３と、該円筒体２５３の下端部から外方へ突設したフランジ部２５４とから構成されている。さらに、前記上部ケース２５の円筒体２５３の上端部から前記フランジ部２５４の外周部に及んで、略直角三角形状のリブ２５９が放射方向に複数、例えば７個設けられている。
【００３５】
本実施例においても、前述の実施例（図１及び図２に示すポンプ用ケース）の効果と同様に、ゲートの数を１つにしても良好な射出成形が可能となり、特に、上部ケース２５のフラランジ部２５４全体の強度が増大した。そのため、フランジ部２５４に反りを発生することなく、フランジ部２５４の全周領域に及んで所望の平坦面が得られた。斯くして、上部ケース２５を下部ケースにビスにて締結連結する時、該ビス（ネジ山）３５又はビス孔を破損させることなく、締付け作業を容易に行うことができた。
【００３６】
なお、本発明は、本発明の精神を逸脱しない限り種々の改変をなすことができ、そして、本発明が該改変されたものにも及ぶことは当然である。
【図面の簡単な説明】
【００３７】
【図１】本発明の一実施例を示し、ポンプの外観構成の分解斜視図。
【図２】図１のＡ−Ａ線に沿った断面図。
【図３】本発明の他の実施例に係る上部ケースの平面図。
【図４】図３の正面図。
【符号の説明】
【００３８】
１０  遠心式ポンプ
１１  固定軸
１３  軸受
１５  ロータ
１５０  羽根車
１５１  内側円筒部
１５３  円環部
１５５  永久磁石
１５７  羽根
１７  基板
１７ａ  上面
１９  ステータ
１９１  固定子コア
１９３  固定子コイル
２１  下部ケース
２１１  下支持部
２１２  第１の円環部
２１３  第１の円筒部
２１４  第２の円環部
２１５  第２の円筒部
２１６  第３の円環部
２１７  第３の円筒部
２１８  第４の円環部
２１９  円環状突出部
２３  リング状のシールゴム
２５  上部ケース
２５１  上支持部
２５２  円筒部
２５３  カップ状の円筒体
２５４  円環状のフランジ部
２５４ａ  凹部
２５６  吸込管（流入管）
２５６ａ  吸込口
２５７  吐出管（流出管）
２５７ａ  吐出口
２５９  リブ
３１  磁気検出素子
３２  駆動素子
３４  貫通孔
３５  ビス（止着具）
３６  ネジ孔
【図１】
2008008275.tif 000003
【図２】
2008008275.tif 000004
【図３】
2008008275.tif 000005
【図４】
2008008275.tif 000006